(57)【特許請求の範囲】
【請求項１】
容器の開口に装着されるゴムの栓体を貫通して、当該容器内の血液試料を吸引する血液試料吸引装置、該血液試料吸引装置により吸引された血液試料を分析する分析部及び該分析部により分析された結果を出力する出力部を備えた血液分析装置であって、
前記血液試料吸引装置が、
その先端が前記容器の内部に挿入可能であり、その長手方向に垂直な断面が略くの字状又はＣ字状であり、且つ前記ゴムの栓体に当該容器の内部側に変形可能な略くの字状又はＣ字状の変形片を形成するピアサと、
容器内の血液試料を吸引し得るピペットと、
を備え、
前記ピアサが前記ゴムの栓体を穿刺した状態で、前記ピペットがピアサによりガイドされて略くの字状又はＣ字状の変形片を変形させて容器内に挿入され、血液試料を吸引することを特徴とする血液分析装置。
【請求項２】
前記ピペットの先端が先細に形成されている請求項１に記載の血液分析装置。
【請求項３】
容器の開口に装着されるゴムの栓体を貫通して、当該容器内の血液試料を吸引する血液試料吸引装置、該血液試料吸引装置により吸引された血液試料を分析する分析部及び該分析部により分析された結果を出力する出力部を備えた血液分析装置であって、
前記血液試料吸引装置が、
その先端が前記容器の内部に挿入可能であり、その長手方向に垂直な断面が直線状であり、且つ前記ゴムの栓体にスリットを形成する第１ピアサと、
前記ゴムの栓体を穿刺可能な針部を先端に備えており、容器内の血液試料を吸引し得る第２ピアサと、
を備え、
前記第１ピアサが前記ゴムの栓体を穿刺した状態で、前記第２ピアサが第１ピアサによりガイドされて前記ゴムの栓体を穿刺して容器内に挿入され、血液試料を吸引することを特徴とする血液分析装置。
【請求項４】
容器の開口に装着されるゴムの栓体を貫通して、当該容器内の血液試料を吸引する血液試料吸引装置、該血液試料吸引装置により吸引された血液試料を分析する分析部及び該分析部により分析された結果を出力する出力部を備えた血液分析装置であって、
前記血液試料吸引装置が、
その先端が前記容器の内部に挿入可能であり、その長手方向に垂直な断面が直線状であり、且つ前記ゴムの栓体に線状の切り込みを形成するピアサと、
前記容器内部に挿入され、当該容器内の血液試料を吸引し得るピペットと、
を備え、
前記ピアサが前記ゴムの栓体を穿刺した状態で、前記ピペットがピアサによりガイドされて前記ゴムの栓体に形成された線状の切り込みを介して容器内に挿入され、血液試料を吸引することを特徴とする血液分析装置。
【発明の詳細な説明】
【技術分野】
【０００１】
本発明は、血液試料を分析する血液分析装置において、血液試料が収容されている容器から当該血液試料を吸引するのに用いられる血液試料吸引装置を備える血液分析装置に関する。
【背景技術】
【０００２】
真空採血管等の密封容器に収容された液体試料を吸引し、その液体試料を分析する分析装置が広く知られている。従来のこの種の分析装置は、密封容器から液体試料を吸引するために、先端を鋭利に尖らせた吸引管を備えており、この吸引管が密封容器の栓体を貫通するように構成されている。しかしながら、このような吸引管では、吸引管が栓体を貫通したときに生じた削り屑が吸引管の穴に入り、詰りが生じるという問題があった。
【０００３】
そこで、穴開け用の管を栓体に突き刺し、その管の中に吸引管を通して当該吸引管の先端を密封容器の内部に挿入する構成のサンプリング装置が開示されている（特許文献１、２参照）。また、先端が鋭利な穴開け用具を吸引管に並設し、この穴開け用具で栓体に穴を開けた後、吸引管を移動させて穴に位置合わせし、その穴に吸引管を通す構成の装置が開示されている（特許文献３）。これらの装置では、吸引管が栓体の削り屑で詰まることを防止することができる。
【０００４】
【特許文献１】特表平３−５０１１６８号公報
【特許文献２】実開平３−２３３６４号公報
【特許文献３】特開昭６２−１００６６２号公報
【発明の開示】
【発明が解決しようとする課題】
【０００５】
しかしながら、特許文献１、２に開示された構成では、穴開け用の管を栓体に突き刺したときに、この管が削り屑によって詰まるという問題があった。また、削り屑が密封容器中の液体試料に混入し、吸引管の詰りを招いたり、液体試料が汚染されたりするという問題があった。また、穴開け用の管は内部に吸引管を通す必要があるため太くなり、そのため栓体を刺し通したときの穴が大きくなるという問題があった。穴が大きすぎると、穴開け用の管を栓体から引き抜いた後、その穴が閉じなくなることがあり、また穴開け用の管を栓体に刺し通すために大きな力を要していた。
【０００６】
また、特許文献３に開示された構成では、穴開け用具で密封容器の栓体を刺し通し、穴開け用具を栓体から引き抜いた後、栓体の穴に位置合わせをしなければならないが、穴開け用具の引き抜きの際に密封容器に位置がずれないように、密封容器をしっかりと保持する必要があった。このためには、密封容器の保持構造が複雑となり、またユーザが密封容器を装置にセットする際に多くの手間が必要になるという問題があった。
【０００７】
本発明は、このような事情に鑑みてなされたものであり、構造が簡単であり、ゴムの栓体から削り屑が生じにくく、ピペットの詰まり及び血液試料の汚染を防止するとともに、血液試料吸引後はゴムの栓体に空いた穴を閉じることが可能な血液試料吸引装置を備えた血液分析装置を提供することを目的としている。
【課題を解決するための手段】
【０００８】
本発明の血液分析装置は、容器の開口に装着されるゴムの栓体を貫通して、当該容器内の血液試料を吸引する血液試料吸引装置、該血液試料吸引装置により吸引された血液試料を分析する分析部及び該分析部により分析された結果を出力する出力部を備えた血液分析装置であって、前記血液試料吸引装置が、その先端が前記容器の内部に挿入可能であり、その長手方向に垂直な断面が略くの字状又はＣ字状であり、且つ前記ゴムの栓体に当該容器の内部側に変形可能な略くの字状又はＣ字状の変形片を形成するピアサと、容器内の血液試料を吸引し得るピペットと、を備え、前記ピアサが前記ゴムの栓体を穿刺した状態で、前記ピペットがピアサによりガイドされて略くの字状又はＣ字状の変形片を変形させて容器内に挿入され、血液試料を吸引することを特徴としている。
【０００９】
本発明の血液分析装置の血液試料吸引装置では、容器の開口に装着されるゴムの栓体をピアサで穿刺（切断）して変形片を形成している。この変形片は、前記容器の内部側に変形可能であり、ピペット先端がかかる変形片に当接するように当該ピペットを移動させることで前記変形片が変形するので、小さな力でピペットを容器内の所定位置まで挿入することができる。また、ピペットが容器内に挿入される際に、前記変形片の変形により生じた隙間ないしは通路を介して容器内部と外気とが連通するので、容器内部の大気開放を簡単に行うことができる。
さらに、ピペットを用いて試料を吸引することができるので、開口が栓体により密封された試料容器であっても、試料のデッドボリュームを最小限にすることができる。前記ピアサ及びピペットは、洗浄スピッツ内に両方同時に入れ、洗浄液を当該洗浄スピッツの下部側方から注入し、上部側方から吸引することで洗浄できるので、洗浄工程を簡略化することができる。
また、ピアサによってゴムの栓体に変形片を形成するため、ゴムの栓体の削り屑が生じず、ピペットの詰まり、液体試料の汚染を防止することができる。さらに、液体試料吸引後は変形片が元の状態に復帰することにより、ゴムの栓体に空いた穴を閉じることが可能となる。
【００１０】
また、ピアサは、その長手方向に垂直な断面が略くの字状又はＣ字状であり、且つゴムの栓体に容器の内部側に変形可能な略くの字状又はＣ字状の変形片を形成するように構成されている。この場合、比較的簡単な構成のピアサで変形片を形成することができ、このピアサにより形成される略くの字状又はＣ字状の変形片をピペットで変形させることで、小さな力でピペットを容器内の所定位置まで挿入することができる。また、ピペットが容器内に挿入される際に、前記くの字状又はＣ字状の変形片の先端付近に生じる隙間ないしは通路を介して容器内部と外気とが連通するので、容器内部の大気開放を簡単に行うことができる。
【００１１】
また、ピアサがゴムの栓体を穿刺した状態で、ピペットが略くの字状又はＣ字状の変形片を変形させて容器内に挿入され、血液試料を吸引するように構成されている。この場合、ピアサによって前記変形片と対向する栓体部分の変形が規制されるので、前記変形片が変形し易くなり、ピペットの容器内部への挿入が容易になる。
【００１２】
容器内部への挿入時に前記ピペットがピアサによりガイドされるのが好ましい。ピアサによりガイドされることで、容器挿入時に変形片からの反力でピペットが変形するのを防止することができる。換言すれば、細いピペットの使用が可能になるので、試料吸引時にピペット先端に付着する試料の量を減少させることができる。その結果、試料吸引量の精度を向上させて、試料の分析精度を上げることができる。
【００１３】
前記ピペットの先端を先細に形成することができる。この構成によれば、試料吸引時にピペット先端に付着する試料の量を減少させることができる。その結果、試料吸引量の精度を向上させて、試料の分析精度を上げることができる。
【００１４】
また、本発明の血液分析装置は、容器の開口に装着されるゴムの栓体を貫通して、当該容器内の血液試料を吸引する血液試料吸引装置、該血液試料吸引装置により吸引された血液試料を分析する分析部及び該分析部により分析された結果を出力する出力部を備えた血液分析装置であって、前記血液試料吸引装置が、その先端が前記容器の内部に挿入可能であり、その長手方向に垂直な断面が直線状であり、且つ前記ゴムの栓体にスリットを形成する第１ピアサと、前記ゴムの栓体を穿刺可能な針部を先端に備えており、容器内の血液試料を吸引し得る第２ピアサと、を備え、前記第１ピアサが前記ゴムの栓体を穿刺した状態で、前記第２ピアサが第１ピアサによりガイドされて前記ゴムの栓体を穿刺して容器内に挿入され、血液試料を吸引することを特徴としている。
【００１５】
かかる血液試料吸引装置では、容器内の試料を吸引するピアサ（第２ピアサ）をゴムの栓体に穿刺する前に、他のピアサ（第１ピアサ）で当該栓体にスリットを形成することができる。このため、第２ピアサにより栓体を穿刺する際に、前記スリットが形成された栓体部分が変形して、容器内部と外気とが連通するので、容器内部の大気開放を簡単に行うことができる。
また、第１ピアサによってゴムの栓体にスリットを形成するため、ゴムの栓体の削り屑が生じず、第２ピアサの詰まり、液体試料の汚染を防止することができる。さらに、液体試料吸引後はスリットが形成された栓体部分が元の状態に復帰することにより、ゴムの栓体に空いた穴を閉じることが可能となる。
【００１６】
また、第１ピアサがゴムの栓体を穿刺した状態で、第２ピアサがゴムの栓体を穿刺して容器内に挿入され、血液試料を吸引するように構成されている。この場合、第１ピアサによって、当該第１ピアサを挟んで第２ピアサにより穿刺される栓体部分と反対側の栓体部分の変形が規制されるので、前記第２ピアサにより穿刺される栓体部分が変形し易くなり、第２ピアサの容器内部への刺通が容易になる。
【００１７】
栓体穿刺時に前記第２ピアサが第１ピアサによりガイドされるのが好ましい。第１ピアサによりガイドされることで、栓体穿刺時に栓体からの反力で第２ピアサが変形するのを防止することができる。換言すれば、細い第２ピアサの使用が可能になるので、試料吸引時に第２ピアサ先端に付着する試料の量を減少させることができる。その結果、試料吸引量の精度を向上させて、試料の分析精度を上げることができる。
【００１８】
また、本発明の血液分析装置は、容器の開口に装着されるゴムの栓体を貫通して、当該容器内の血液試料を吸引する血液試料吸引装置、該血液試料吸引装置により吸引された血液試料を分析する分析部及び該分析部により分析された結果を出力する出力部を備えた血液分析装置であって、前記血液試料吸引装置が、その先端が前記容器の内部に挿入可能であり、その長手方向に垂直な断面が直線状であり、且つ前記ゴムの栓体に線状の切り込みを形成するピアサと、前記容器内部に挿入され、当該容器内の血液試料を吸引し得るピペットと、を備え、前記ピアサが前記ゴムの栓体を穿刺した状態で、前記ピペットがピアサによりガイドされて前記ゴムの栓体に形成された線状の切り込みを介して容器内に挿入され、血液試料を吸引することを特徴としている。
【００１９】
かかる血液試料吸引装置では、容器の開口に装着されるゴムの栓体をピアサで穿刺（切断）して線状の切り込みを形成している。このため、栓体にピペットを挿入する際に、前記切り込み部分が変形して、容器内部と外気とが連通するので、容器内部の大気開放を簡単に行なうことができる。また、ピアサにより栓体を穿刺した状態で、ピペットを容器内部に挿入することにより、ピアサによって前記切り込みが変形しやすくなり、ピペットの容器内部への挿入が容易になる。
また、ピアサによってゴムの栓体に線状の切り込みを形成するため、ゴムの栓体の削り屑が生じず、ピペットの詰まり、液体試料の汚染を防止することができる。さらに、液体試料吸引後は切り込みが形成された栓体部分が元の状態に復帰することにより、ゴムの栓体に空いた穴を閉じることが可能となる。
【００２１】
本発明の血液分析装置は、前述した血液試料吸引装置を備えており、容器の開口に装着されるゴムの栓体を当該血液試料吸引装置のピアサで穿刺（切断）して変形可能な部分を形成している。この変形可能な部分は、前記容器の内部側に変形可能であり、ピペット先端がかかる変形可能な部分に当接するように当該ピペットを移動させることで前記部分が変形するので、小さな力でピペットを容器内の所定位置まで挿入することができる。また、ピペットが容器内に挿入される際に、前記変形可能な部分の変形により生じた隙間ないしは通路を介して容器内部と外気とが連通するので、容器内部の大気開放を簡単に行うことができる。
さらに、ピペットを用いて試料を吸引することができるので、開口が栓体により密封された試料容器であっても、試料のデッドボリュームを最小限にすることができる。前記ピアサ及びピペットは、洗浄スピッツ内に両方同時に入れ、洗浄液を当該洗浄スピッツの下部側方から注入し、上部側方から吸引することで洗浄できるので、洗浄工程を簡略化することができる。
また、ピアサによってゴムの栓体に変形可能な部分を形成するため、ゴムの栓体の削り屑が生じず、ピペットの詰まり、液体試料の汚染を防止することができる。さらに、液体試料吸引後は変形可能な部分が元の状態に復帰することにより、ゴムの栓体に空いた穴を閉じることが可能となる。
【発明の効果】
【００２２】
本発明の血液試料吸引装置を備える血液分析装置によれば、構造を簡単にすることができ、ゴムの栓体から削り屑が生じにくく、ピペットの詰まり及び血液試料の汚染を防止することができるとともに、血液試料吸引後はゴムの栓体に空いた穴を閉じることが可能となる。
【発明を実施するための最良の形態】
【００２３】
以下、添付図面を参照しつつ、本発明の血液試料吸引装置（以下、単に吸引装置ともいう）を備える血液分析装置の実施の形態を詳細に説明する。なお、図１〜４において、分かり易くするために、一部の要素について部分的に図示を省略している。
図１は本発明の一実施の形態に係る吸引装置の要部斜視説明図、図２は本発明の吸引装置の一実施の形態の正面説明図であって、ピアサにより密封容器の栓体を穿刺した後に検体アームが旋回してＣＰアームとドッキングした状態を示す図、図３は図２に示される状態の平面説明図、及び図４は図２に示される状態の右側面説明図である。前記吸引装置Ａは、ゴムキャップ等の栓体により密封された試料容器３０（以下、単に容器ともいう）から血液や尿等の試料を吸引するのに用いられ、例えば血液の凝固反応の検査に供される血液凝固測定装置や、血液中の赤血球数や白血球数の測定をする血液分析装置等の測定又は分析装置の一部を構成している。かかる分析装置は、図示は省略しているが、前記吸引装置Ａ以外に、当該吸引装置Ａにより吸引された液体試料を分析する分析部と、当該分析部により分析された結果を出力する出力部とを備えている。
【００２４】
吸引装置Ａは、その先端が前記容器３０の内部に挿入可能であり、且つ前記栓体に当該容器３０の内部側に変形可能な変形片を形成するピアサ１と、容器３０内の試料を吸引し得るピペット２と、これらピアサ１及びピペット２を駆動させるモータ等の駆動機構と、前記試料を吸引・吐出するシリンジポンプ等の吸引・吐出機構（図示せず）とで主に構成されている。
【００２５】
ピアサ１は、図５に示されるように、ステンレスやチタン等の金属片を長手方向に沿って折り曲げて形成した細長体からなっている。その一端には前記栓体を穿刺し得る鋭利な刃部１ａが形成されており、また他端には前記ピアサ１を保持する保持ブロック３に固定される装着部１ｂが形成されている。ピアサ１の長手方向に垂直な断面は略「く」の字状を呈している（図６参照）。
【００２６】
ピペット２は、内部に試料の通路２ａ（図６参照）を有する細管からなっており、その根元側端部が検体アーム２０に把持されている。また、ピペット２は、チューブやバルブを介して前記吸引・吐出機構に接続されている。なお、ピペット２の先端は先細に形成するのが好ましく、そうすることで試料吸引時にピペット先端に付着する試料の量を減少させることができる。その結果、試料吸引量の精度を向上させて、試料の分析精度を上げることができる。
前記ピアサ１及びピペット２は、洗浄スピッツ（図示せず）内に両方同時に入れ、洗浄液を当該洗浄スピッツの下部側方から注入し、上部側方から吸引することで洗浄できる。その結果、従来の２重管からなる試料吸引管に比べて洗浄工程を簡略化することができる。
【００２７】
検体アーム２０は、ピペット２を把持ないしは保持して当該ピペット２を試料吸引位置と試料吐出位置との間で移動させる部材であり、その一端付近に設けられた軸２１の廻りに回転自在であるとともに、昇降自在に構成されている。
【００２８】
ピアサ１を保持する保持ブロック３はＡＢＳ樹脂等の合成樹脂からなる板体で作製されており、その開口部の周壁にピペット１の装着部１ｂが固定されている。一端側に前記保持ブロック３が設けられたベース４０の他端（図２において左側端部）には、片面（図２において紙面裏側の面）に溝部が形成された矩形状の第１ガイド体４が設けられている。この第１ガイド体４の溝部は、吸引装置Ａのケーシング５に上下方向に固設された第１細長体６に嵌め込まれており、これによりベース４０の上下方向の移動がガイドされるようになっている。
【００２９】
ベース４０の下方には、当該ベース４０を昇降させる駆動源であるモータ７が配設されている。モータ７の出力軸には駆動プーリ８が設けられており、この駆動プーリ８と、前記ケーシング５に回転自在に保持されている第１ねじ９の下端に設けられた従動プーリ１０との間にベルト１１が架け渡されている。前記第１ねじ９は、ベース４０に形成された雌ねじ部（図示せず）と螺合しており、当該第１ねじ９を回転させることでベース４０を昇降させることができるようになっている。
【００３０】
前記ベース４０の上方には、前記検体アーム２０とドッキング（係合）して、当該検体アーム２０を昇降させるＣＰアーム１２が配設されている。このＣＰアーム１２の一端（図２において左側端部）には、前記ベース４０と同様に、その片面（図２において紙面裏側の面）に溝部が形成された矩形状の第２ガイド体１３が設けられている。この第２ガイド体１３の溝部は、吸引装置Ａのケーシング５に上下方向に固設された第２細長体１４に嵌め込まれており、これによりＣＰアーム１２の上下方向の移動がガイドされるようになっている。
【００３１】
ケーシング５には、ＣＰアーム１２を昇降させる駆動源であるモータ１５が配設されている。モータ１５の出力軸には駆動プーリ１６が設けられており、この駆動プーリ１６と、前記ケーシング５に回転自在に保持されている第２ねじ１７の上端に設けられた従動プーリ１８との間にベルト１９が架け渡されている。前記第２ねじ１７は、ＣＰアーム１２に形成された雌ねじ部（図示せず）と螺合しており、当該第２ねじ９を回転させることでＣＰアーム１２を昇降させることができるようになっている。
【００３２】
ＣＰアーム１２の一端（図２において右側端部）には、前記検体アーム２０を昇降させるために当該検体アーム２０を把持する係合部２３が形成されている。この係合部２３は、前記ピペット２の根元側端部付近に設けられた円盤状の係合体２４を受け入れるための導入スリット２５を有している。この導入スリット２５を構成する前記係合部２３の側面２３ａには、前記係合体２４の厚さよりも若干幅広の溝２６が形成されている。検体アーム２０が軸２１を中心に時計廻りに回転すると、前記円盤状の係合体２４が溝２６内に導入されるように構成されている。なお、導入スリット２５の入口側には、前記係合体２４を溝２６内に円滑に導入するための面取り部２７が形成されている。
【００３３】
つぎに、前述した吸引装置を用いた吸引操作について説明をする。
（１）まず初期状態では、ピアサ１は上昇位置にあり、またピペット２を把持する検体アーム２０は、図１に示されるように、ＣＰアーム１２と非係合状態にある。
内部に試料が収容された容器が搬送機構（図示せず）によりピアサ１の下方に搬送されると、モータ７が回転をする。この回転は、駆動プーリ８、ベルト１１及び従動プーリ１０を介して第１ねじ９に伝達され、当該第１ねじ９を回転させる。これにより、前記第１ねじ９と螺合する雌ねじ部を有するベース４０が、第１ガイド体４と第１細長体６とによりガイドされつつ下降し、ピアサ１が容器の栓体を穿刺する。その結果、容器の開口に装着される栓体に変形片が形成される。
【００３４】
（２）つぎに、検体アーム２０が軸２１を中心にして時計廻りに回転し、図３に示されるように、円盤状の係合体２４が溝２６内に導入される（検体アーム２０とＣＰアーム１２のドッキング）。
（３）ついで、モータ１５が回転をする。この回転は、駆動プーリ１６、ベルト１９及び従動プーリ１８を介して第２ねじ１７に伝達され、当該第２ねじ１７を回転させる。これにより、前記第２ねじ１７と螺合する雌ねじ部を有するＣＰアーム１２が、第２ガイド体１３と第２細長体１４とによりガイドされつつ下降する。そして、検体アーム２０の係合体２４が係合部２３の溝２６内に配設されているので、ＣＰアーム１２と連動して検体アーム２０も下降し、ピペット２が容器内に挿入される。このとき、ピペット２は、ピアサ１によりガイドされつつ容器内に挿入される。ピアサ１により形成された変形片は、容器の内部側に変形可能であり、ピペット２先端がかかる変形片に当接するように当該ピペット２を移動させることで前記変形片が変形するので、小さな力でピペット２を容器内の所定位置まで挿入することができる。また、ピペット２が容器内に挿入される際に、前記変形片の変形により生じた隙間ないしは通路を介して容器内部と外気とが連通するので、容器内部の大気開放を簡単に行うことができる。
また、ピアサ１によりガイドされることで、容器挿入時に変形片からの反力でピペット２が変形するのを防止することができる。換言すれば、細いピペットの使用が可能になるので、試料吸引時にピペット先端に付着する試料の量を減少させることができる。その結果、試料吸引量の精度を向上させて、試料の分析精度を上げることができる。
さらに、ピアサ１により栓体を穿刺した状態で、前記変形片を変形させてピペット２を容器内部に挿入し得るように構成されているので、当該ピアサ１によって前記変形片と対向する栓体部分の変形が規制される。その結果、前記変形片が変形し易くなり、ピペット２の容器内部への挿入が容易になる。
また、ピアサ１によって栓体に変形片を形成するため、栓体の削り屑が生じず、ピペット２の詰まり、液体試料の汚染を防止することができる。さらに、液体試料吸引後は変形片が元の状態に復帰することにより、栓体に空いた穴を閉じることが可能となる。
【００３５】
（４）つぎに、シリンジポンプ等の吸引・吐出機構を駆動させてピペット２を用いて容器内の試料を吸引する。この場合、ピペット２を用いて試料を吸引することができるので、開口が栓体により密封された試料容器であっても、試料のデッドボリュームを最小限にすることができる。
（５）吸引が終了すると、モータ１５が前記と逆の方向に回転し、ＣＰアーム１２を上昇させる。これにより、ピペット２が容器内から引き上げられる。
【００３６】
（６）ＣＰアーム１２が所定位置まで上昇すると、検体アーム２０が軸２１を中心にして反時計廻りに回転をする。これに伴い、係合体２４が溝２６から離れ、ＣＰアーム１２と検体アーム２０の係合が解除される。
（７）また、ＣＰアーム１２が所定位置まで上昇すると、モータ７が前記と逆の方向に回転し、ピアサ１を上昇させる。
なお、ピペット２内に吸引された試料は、キュベットや混合チャンバ等の容器内に吐出され、希釈液により希釈されたり、所定の試薬と混合される等の工程を経た後に分析、測定が行われる。
【００３７】
つぎに本発明の他の実施の形態について説明をする。前述した実施の形態に係る吸引装置では、断面略くの字状のピアサを用いて栓体に変形片を形成したが、かかるピアサに代えて平坦なピアサを用いることもできる。
図７は、このような平坦なピアサの一例を示している。このピアサ１０１の一端には前記栓体を穿刺し得る鋭利な刃部１０１ａが形成されており、また他端には前記ピアサ１０１を保持する保持ブロックに固定される装着部１０１ｂが形成されている。かかるピアサ１０１で容器の栓体を穿刺すると、図５に示されるピアサ１とは異なり、栓体に変形片は形成されず、直線状のスリットだけが形成される。したがって、ピペットを容器内に挿入するのは困難であるので、先端に針部が形成されたピアサを用いて試料を吸引する。
【００３８】
すなわち、他の実施の形態に係る吸引装置は、その先端が容器の内部に挿入可能であり、栓体にスリットを形成する第１ピアサ（ピアサ１０１）と、前記栓体を穿刺可能な針部を先端に備えており、容器内の液体試料を吸引し得る第２ピアサ（図示せず）とを備えている。この吸引装置では、容器内の試料を吸引するピアサ（第２ピアサ）を栓体に穿刺する前に、他のピアサ（第１ピアサ）で当該栓体にスリットを形成している。このため、第２ピアサにより栓体を穿刺する際に、前記スリットが形成された栓体部分が変形して、容器内部と外気とが連通するので、容器内部の大気開放を簡単に行うことができる。かかる吸引装置においても、前記第１ピアサにより前記栓体を穿刺した状態で、前記第２ピアサで当該栓体を穿刺し得るように構成されているのが好ましい。この場合、第１ピアサによって、当該第１ピアサを挟んで第２ピアサにより穿刺される栓体部分と反対側の栓体部分の変形が規制されるので、前記第２ピアサにより穿刺される栓体部分が変形し易くなり、第２ピアサの容器内部への刺通が容易になる。また、栓体穿刺時に前記第２ピアサが第１ピアサによりガイドされるのが好ましい。第１ピアサによりガイドされることで、栓体穿刺時に栓体からの反力で第２ピアサが変形するのを防止することができる。換言すれば、細い第２ピアサの使用が可能になるので、試料吸引時に第２ピアサ先端に付着する試料の量を減少させることができる。その結果、試料吸引量の精度を向上させて、試料の分析精度を上げることができる。
【００３９】
また、本実施の形態においても、第１ピアサによって栓体にスリットを形成するため、栓体の削り屑が生じず、第２ピアサの詰まり、液体試料の汚染を防止することができる。さらに、液体試料吸引後はスリットが形成された栓体部分が元の状態に復帰することにより、栓体に空いた穴を閉じることが可能となる。
【００４０】
なお、ピアサにより栓体を穿刺した状態で容器内部に挿入する場合は、前記第２ピアサに代えてピペットを用いることもできる。すなわち、本発明の吸引装置は、その先端が前記容器の内部に挿入可能であり、且つ前記栓体に線状の切り込みを形成するピアサと、前記ピアサにより前記栓体を穿刺した状態で、前記容器内部に挿入され、当該容器内部の液体試料を吸引し得るピペットとを備えたものとすることもできる。
【００４１】
この実施の形態では、栓体にピペットを挿入する際に、前記ピアサにより形成された線状の切り込み部分が変形して、容器内部と外気とが連通するので、容器内部の大気開放を簡単に行なうことができる。また、ピアサにより栓体を穿刺した状態で、ピペットを容器内部に挿入することにより、ピアサによって前記切り込みが変形しやすくなり、ピペットの容器内部への挿入が容易になる。
また、ピアサによって栓体に線状の切り込みを形成するため、栓体の削る屑が生じず、ピペットの詰まり、液体試料の汚染を防止することができる。さらに、液体試料吸引後は切り込みが形成された栓体部分が元の状態に復帰することにより、栓体に空いた穴を閉じることが可能となる。
【００４２】
なお、栓体に変形片を形成し得るピアサとしては、図５に示される断面略くの字状のもの以外に、例えば断面略Ｃ字状等、他の断面形状のものを用いることができる。
【図面の簡単な説明】
【００４３】
【図１】本発明の吸引装置の一実施の形態の要部斜視説明図である。
【図２】本発明の吸引装置の一実施の形態の正面説明図であって、ピアサにより密封容器の栓体を穿刺した後に検体アームが旋回してＣＰアームとドッキングした状態を示す図である。
【図３】図２に示される状態の平面説明図である。
【図４】図２に示される状態の右側面説明図である。
【図５】変形片を形成するのに用いられるピアサの一例の説明図である。
【図６】図５に示されるピアサと、このピアサとともに用いられるピペットの断面説明図である。
【図７】栓体を穿刺するのに用いられる第１ピアサの一例の説明図である。
【符号の説明】
【００４４】
１ピアサ
２ピペット
３保持ブロック
４第１ガイド体
５ケーシング
６第１細長体
７、１５モータ
８、１６駆動プーリ
９第１ねじ
１０、１８従動プーリ
１１、１９ベルト
１２ＣＰアーム
１３第２ガイド体
１４第２細長体
１７第２ねじ
２０検体アーム
２４係合体
２５導入スリット
３０試料容器
４０ベース
Ａ吸引装置
【図１】
0004781054.tif 000002
【図２】
0004781054.tif 000003
【図３】
0004781054.tif 000004
【図４】
0004781054.tif 000005
【図５】
0004781054.tif 000006
【図６】
0004781054.tif 000007
【図７】
0004781054.tif 000008